(57)【要約】【課題】効率良く整髪を行うことが可能なヘアアイロンを提供する。【解決手段】ヘアアイロン１は、一方が他方に対して接近、離隔するよう互いに揺動可能な略直方体形状をなす第１筐体１０及び第２筐体３０と、第１筐体１０及び第２筐体３０の接近時に毛髪を挟持して加熱する対をなす第１挟持部１１及び第２挟持部３１と、第１筐体１０に設けた空気の吸込口１３及び吹出口１４と、吸込口１３と吹出口１４とを連通させる送風ダクト１５と、送風ダクト１５に気流を流通させる送風ファン１６と、送風ダクト１５を流通する気流に帯電粒子を放出する帯電粒子発生装置１８と、を備える。そして、吹出口１４を、第１筐体１０の第１挟持部１１を設けた一面を正面１０ｆとする側面１０ｓに設けた。【選択図】図１
2014133048.tif 000002
【特許請求の範囲】
【請求項１】
一方が他方に対して接近、離隔するよう互いに揺動可能な略直方体形状をなす第１筐体及び第２筐体と、
前記第１筐体及び前記第２筐体の接近時に毛髪を挟持して加熱する対をなす前記第１筐体に設けた第１挟持部及び前記第２筐体に設けた第２挟持部と、
前記第１筐体または前記第２筐体のいずれか一方に設けた空気の吸込口及び吹出口と、
前記吸込口と前記吹出口とを連通させる送風ダクトと、
前記送風ダクトに気流を流通させる送風ファンと、
前記送風ダクトを流通する気流に帯電粒子を放出する帯電粒子発生装置と、
を備え、
前記第１筐体または前記第２筐体の前記第１挟持部または前記第２挟持部を設けた一面を正面とする側面に前記吹出口を設けたことを特徴とするヘアアイロン。
【請求項２】
前記吹出口を前記第１筐体または前記第２筐体の前記第１挟持部または前記第２挟持部を設けた前記正面を挟み互いに反対方向を向く２箇所の側面に設け、
前記送風ダクトは前記吹出口に隣接する箇所に、前記第１挟持部または前記第２挟持部を設けた前記正面に向けて前記吹出口が空気を吹き出すこととなる前記正面に対して傾斜をなす斜面部を備えることを特徴とする請求項１に記載のヘアアイロン。
【請求項３】
前記帯電粒子発生装置が正負各々に帯電した前記帯電粒子を放出し、
前記送風ダクトが前記帯電粒子発生装置の設置箇所の空気流通方向下流側に前記設置箇所より流路の断面積が狭い絞り部と、前記２箇所の側面に設けた前記吹出口各々に向けて流路が分岐する分岐部とを備えることを特徴とする請求項２に記載のヘアアイロン。
【請求項４】
前記送風ファンが流通させる気流を、前記２箇所の側面の中間に関して前記２箇所の側面各々に向かって対称になるよう整流する整流部を備えることを特徴とする請求項２または請求項３に記載のヘアアイロン。
【請求項５】
前記送風ファンはその回転軸線が前記第１挟持部または前記第２挟持部を設けた前記正面と交差する方向に延びることを特徴とする請求項１〜請求項４のいずれか１項に記載のヘアアイロン。
【発明の詳細な説明】
【技術分野】
【０００１】
本発明はヘアアイロンに関する。
【背景技術】
【０００２】
従来のヘアアイロンは特許文献１に開示されている。特許文献１に記載の従来のヘアアイロンはイオンを発生させる放電電極と、そのイオンを毛髪に向かって放出するイオン放出口とを備える。このヘアアイロンのイオン放出口は筐体の毛髪を挟持する一面（加熱面）に対向するように設けられている。これにより、毛髪の静電気（帯電状態）を解消するとともに、毛髪に潤いを付与することを図っている。
【先行技術文献】
【特許文献】
【０００３】
【特許文献１】特許第４６５２４２７号公報
【発明の概要】
【発明が解決しようとする課題】
【０００４】
しかしながら、上記従来のヘアアイロンは帯電粒子（イオン）の放出口が筐体の毛髪を挟持する一面に対向しているので、例えば毛髪や毛髪に付着していた整髪剤が放出口に詰まり易いという課題があった。これにより、帯電粒子を毛髪に効果的に当てることができなかったり、放出口の清掃に手間が掛かったりするといった問題が生じることが懸念された。また、上記従来のヘアアイロンは帯電粒子の放出口が筐体の毛髪を挟持する一面に対向していることで、整髪中の毛髪自体が放出口を塞ぐ形になる場合もある。これにより、帯電粒子を毛髪の広範囲に当てることができない虞もある。これらの結果、上記従来のヘアアイロンは効率良く整髪を行うことができない可能性があることが懸念された。
【０００５】
また、上記従来のヘアアイロンは送風ファンに係る構造において整髪に対する特別な配慮がなされていないという課題もあった。
【０００６】
本発明は、上記の点に鑑みなされたものであり、効率良く整髪を行うことが可能なヘアアイロンを提供することを目的とする。
【課題を解決するための手段】
【０００７】
上記の課題を解決するため、本発明のヘアアイロンは、一方が他方に対して接近、離隔するよう互いに揺動可能な略直方体形状をなす第１筐体及び第２筐体と、前記第１筐体及び前記第２筐体の接近時に毛髪を挟持して加熱する対をなす前記第１筐体に設けた第１挟持部及び前記第２筐体に設けた第２挟持部と、前記第１筐体または前記第２筐体のいずれか一方に設けた空気の吸込口及び吹出口と、前記吸込口と前記吹出口とを連通させる送風ダクトと、前記送風ダクトに気流を流通させる送風ファンと、前記送風ダクトを流通する気流に帯電粒子を放出する帯電粒子発生装置と、を備え、前記第１筐体または前記第２筐体の前記第１挟持部または前記第２挟持部を設けた一面を正面とする側面に前記吹出口を設けたことを特徴としている。
【０００８】
この構成によれば、第１筐体または第２筐体の第１挟持部または第２挟持部を設けた正面に対する側面から側方に向かって帯電粒子を含む空気が吹き出される。したがって、吹出口に整髪剤が詰まったり、整髪中の毛髪自体が吹出口を塞いだりすることが抑制される。その結果、効率の良い整髪が実行される。
【０００９】
また、上記構成のヘアアイロンにおいて、前記吹出口を前記第１筐体または前記第２筐体の前記第１挟持部または前記第２挟持部を設けた前記正面を挟み互いに反対方向を向く２箇所の側面に設け、前記送風ダクトは前記吹出口に隣接する箇所に、前記第１挟持部または前記第２挟持部を設けた前記正面に向けて前記吹出口が空気を吹き出すこととなる前記正面に対して傾斜をなす斜面部を備えることを特徴としている。
【００１０】
また、上記構成のヘアアイロンにおいて、前記帯電粒子発生装置が正負各々に帯電した前記帯電粒子を放出し、前記送風ダクトが前記帯電粒子発生装置の設置箇所の空気流通方向下流側に前記設置箇所より流路の断面積が狭い絞り部と、前記２箇所の側面に設けた前記吹出口各々に向けて流路が分岐する分岐部とを備えることを特徴としている。
【００１１】
また、上記構成のヘアアイロンにおいて、前記送風ファンが流通させる気流を、前記２箇所の側面の中間に関して前記２箇所の側面各々に向かって対称になるよう整流する整流部を備えることを特徴としている。
【００１２】
また、上記構成のヘアアイロンにおいて、前記送風ファンはその回転軸線が前記第１挟持部または前記第２挟持部を設けた前記正面と交差する方向に延びることを特徴としている。
【００１３】
また、上記構成のヘアアイロンにおいて、前記第１筐体及び前記第２筐体を揺動可能に連結するヒンジ部と、前記第１筐体及び前記第２筐体の一方に設けたフック部と他方に設けた前記フック部が係合する受け部と、前記受け部を設けた前記第１筐体または前記第２筐体の前記ヒンジ部に近接する箇所に設けた前記ヒンジ部を中心とする揺動とともに前記フック部を設けた前記第１筐体または前記第２筐体に対して相対的に回転変位する凹部と、前記フック部を前記受け部に対する係合位置と係合解除位置との間で移動させるとともに、前記第１筐体及び前記第２筐体を接近させ互いの間を閉鎖したときにその一部が前記凹部に進入して前記フック部を前記係合位置に移動させ、前記第１筐体及び前記第２筐体を離隔させ互いの間を開放したときに前記一部が前記凹部に進入することができず前記フック部を前記係合解除位置で維持するスライド部材と、を備えることを特徴としている。
【発明の効果】
【００１４】
本発明の構成によれば、効率良く整髪を行うことが可能なヘアアイロンを提供することができる。
【図面の簡単な説明】
【００１５】
【図１】本発明の実施形態のヘアアイロンの外観斜視図である。
【図２】本発明の実施形態のヘアアイロンの側面図である。
【図３】本発明の実施形態のヘアアイロンの平面図である。
【図４】図３に示すヘアアイロンのIＶ−IＶ線における断面図である。
【図５】図２に示すヘアアイロンのＶ−Ｖ線における断面図である。
【図６】図２に示すヘアアイロンのＶI−ＶI線における断面図である。
【図７】図３に示すヘアアイロンのＶII−ＶII線における断面図にして、第１筐体と第２筐体との間を開放した状態を示すものである。
【図８】図３に示すヘアアイロンのＶIII−ＶIII線における断面図にして、第１筐体と第２筐体との間を閉鎖した状態を示すものである。
【図９】本発明の実施形態のヘアアイロンと比較例のヘアアイロンとの性能の違いを検証するための試験方法の説明図である。
【図１０】本発明の実施形態のヘアアイロンと比較例のヘアアイロンとの毛髪の伸び率（１４０℃）の違いを示すグラフである。
【図１１】本発明の実施形態のヘアアイロンと比較例のヘアアイロンとの毛髪の伸び率（２００℃）の違いを示すグラフである。
【図１２】本発明の実施形態のヘアアイロンと比較例のヘアアイロンとの毛髪の帯電量（１４０℃）の違いを示すグラフである。
【図１３】本発明の実施形態のヘアアイロンと比較例のヘアアイロンとの毛髪の帯電量（２００℃）の違いを示すグラフである。
【発明を実施するための形態】
【００１６】
以下、本発明の実施形態を図１〜図１３に基づき説明する。
【００１７】
最初に、本発明の実施形態のヘアアイロンについて、図１〜図３を用いてその構造の概略を説明する。図１はヘアアイロンの外観斜視図、図２はヘアアイロンの側面図、図３はヘアアイロンの平面図である。
【００１８】
ヘアアイロン１は、図１〜図３に示すように２個の長手状をなす本体筐体である第１筐体１０と第２筐体３０とを備える。第１筐体１０及び第２筐体３０は互いに外周の一部に外側に膨らむ曲面を有する略直方体形状をなす。
【００１９】
第１筐体１０及び第２筐体３０は長手状に延びる各々の一端にヒンジ部２を備える。第１筐体１０及び第２筐体３０はヒンジ部２を介して一方が他方に対して接近、離隔するよう互いに揺動可能に連結される。ヒンジ部２に隣接して、使用者がヘアアイロン１を把持する把持部３が設けられる。使用者は第１筐体１０と第２筐体３０とを接近させてそれらの間を閉じるようにして把持部３を把持する。
【００２０】
第１筐体１０及び第２筐体３０は長手状に延びる各々のヒンジ部２と反対側の一端に対をなす第１挟持部１１、第２挟持部３１を各々備える。第１筐体１０に設けた第１挟持部１１は第１ヒータープレート１２を備え、第２筐体３０に設けた第２挟持２１は第２ヒータープレート３２を備える。第１ヒータープレート１２及び第２ヒータープレート３２は第１筐体１０及び第２筐体３０の接近時に互いの加熱面が対向するように設けられる。すなわち、第１挟持部１１及び第２挟持部３１は第１筐体１０及び第２筐体３０の接近時に毛髪を挟持して加熱する。
【００２１】
第１筐体１０は第１挟持部１１を設けた一面を正面１０ｆとする背面に開口する空気の吸込口１３と、側面１０ｓに開口する空気の吹出口１４とを備える。吸込口１３は第１筐体１０の長手方向の略中央部に設けられ、吹出口１４は第１挟持部１１に隣接して設けられる。吸込口１３と吹出口１４とは後述する送風ダクト１５により連通される。
【００２２】
なお以下、第１筐体１０の第１挟持部１１を設けた一面を第１筐体１０の「正面」１０ｆと称し、この正面１０ｆに隣接する面を第１筐体１０の「側面」１０ｓと称し、正面１０ｆと反対側を向く面を第１筐体１０の「背面」１０ｂと称する。すなわち、図３は第１筐体１０を背面１０ｂ側から見た平面図となる。また、第１筐体１０の正面１０ｆに隣接し、第１筐体１０の長手方向と略平行に延びる２箇所の側面１０ｓを「左右の側面」と称することがある。さらに、これら左右の側面１０ｓが対向する方向を第１筐体１０の「幅方向」と称することがある。
【００２３】
また、第１筐体１０は第１筐体１０と第２筐体３０との間を開放、閉鎖するための開閉ツマミ４をその側面１０ｓに備える。開閉ツマミ４はその側面１０ｓに沿ってスライドさせることができ、そのスライドに連動する後述するロック機構４０が第１筐体１０と第２筐体３０との間の開放、閉鎖を実現する。また、ヘアアイロン１はヒンジ部２側の端部から延びる電源コード５とその先端に設けた電源プラグ６とを備え、商用交流電源から電力の供給を受け、動作する。
【００２４】
続いて、ヘアアイロン１の詳細な構成について、図１〜図３に加えて図４〜図８を用いて説明する。図４は図３に示すヘアアイロン１のIＶ−IＶ線における断面図、図５は図２に示すヘアアイロン１のＶ−Ｖ線における断面図、図６は図２に示すヘアアイロン１のＶI−ＶI線における断面図、図７は図３に示すヘアアイロン１のＶII−ＶII線における断面図にして、第１筐体１０と第２筐体３０との間を開放した状態を示すもの、図８は図３に示すヘアアイロン１のＶIII−ＶIII線における断面図にして、第１筐体１０と第２筐体３０との間を閉鎖した状態を示すものである。なお、図７及び図８ではヘアアイロン１の内部の一部の構成要素の描画を省略している。
【００２５】
第１筐体１０は、図４及び図５に示すように送風ダクト１５を備える。送風ダクト１５吸込口１３と吹出口１４とを連通させる。吸込口１３には第１筐体１０に開口した複数の通気孔１３ａと、塵埃を捕集するフィルタ１３ｂとが配置される。
【００２６】
送風ダクト１５の吸込口１３と隣接する箇所に送風ファン１６が配置される。送風ファン１６は例えばシロッコファンからなり、不図示のファンモータ及び羽根車を備える。羽根車はその回転軸線が第１筐体１０の正面１０ｆと交差する方向、すなわち図４における左右横方向に延び、その吸気口１６ａが吸込口１３に面する。送風ファン１６の排気口１６ｂは吹出口１４が配置された第１挟持部１１の方向、すなわち図４及び図５における上方を指向する。送風ファン１６のファンモータによって羽根車が回転すると、吸込口１３から吹出口１４に向かって送風ダクト１５に気流が流通する。なお、本実施形態では送風ファン１６をシロッコファンとしたが、プロペラファンやターボファン形式の送風ファンであっても良い。
【００２７】
送風ダクト１５の、送風ファン１６の空気流通方向下流側には空気の流れを整えるための整流部である整流リブ１７が複数設けられる。整流リブ１７は送風ファン１５が流通させる気流を、第１筐体１０の正面１０ｆを挟み互いに反対方向を向く２箇所の側面１０ｓ、すなわち図５における分岐部２０の左右の側面１０ｓの中間ＣＬ１に関して前記２箇所の側面１０ｓ各々に向かって対称になるよう整流する。
【００２８】
本実施形態のように、送風ファン１６がシロッコファンであって羽根車の回転軸線が第１筐体１０の正面１０ｆと交差するように送風ファン１６を設けたとき、送風ファン１６の排気口１６ｂは第１筺体１０の幅方向中心（図５のＣＬ１）に対して偏倚する。すなわち、図５に示すように、排気口１６ｂは第１筺体１０の右側寄りに設けられる。一方、このように偏倚した排気口１６ｂに対して、後述する帯電粒子発生装置１８の一対の放電電極１８ａ（図５参照）は第１筺体１０の幅方向中心（図５のＣＬ１）に関して略左右対称となる位置に配置される。しかしながら、第１筺体１０の幅方向中心に対して偏った位置に形成された排気口１６ｂから空気が排気されても、整流リブ１７により一対の放電電極１８ａに対して均等に空気を流通させることができる。したがって、一対の放電電極１８ａ各々から等量のイオンを放出することが可能となる。
【００２９】
さらにその下流には、帯電粒子発生装置１８が配置される。帯電粒子発生装置１８は空気イオンの帯電粒子を放出するための放電に用いる一対の放電電極１８ａ（図５参照）やその他電子部品がハウジングに設けられ、例えば図４に示すようにパッケージ化されている。第１筺体１０の背面１０ｂに着脱可能に設けたカバー１０ｃを取り外すことで、帯電粒子発生装置１８はヘアアイロン１に対して着脱が可能である。一対の放電電極１８ａには交流波形またはインパルス波形から成る正負各々の電圧が印加され、放電電極１８ａのコロナ放電により生成されたイオンが送風ダクト１５に放出される。
【００３０】
正電圧を印加した放電電極１８ａのコロナ放電により空気中の水分子が電離して水素イオンが生成される。この水素イオンが溶媒和エネルギーにより空気中の水分子とクラスタリングする。これにより、Ｈ+（Ｈ2Ｏ）ｍ（ｍは０または任意の自然数）から成る正の空気イオンの帯電粒子が発生して気流に混合される。
【００３１】
また、負電圧を印加した放電電極１８ａのコロナ放電により空気中の酸素分子または水分子が電離して酸素イオンが生成される。この酸素イオンが溶媒和エネルギーにより空気中の水分子とクラスタリングする。これにより、Ｏ2-（Ｈ2Ｏ）ｎ（ｎは任意の自然数）から成る負の空気イオンの帯電粒子が発生して気流に混合される。
【００３２】
なお、本実施形態では帯電粒子発生装置１８によって正イオン及び負イオンを発生することとしているが、正イオンのみまたは負イオンのみを発生しても良い。
【００３３】
また、本発明において、帯電粒子には空気イオンのほかに帯電微粒子水も含むものとする。このとき、帯電粒子発生装置１８を例えば静電霧化装置によって構成しても良い。静電霧化装置によってラジカル成分を含む帯電微粒子水が生成される。すなわち、静電霧化装置に設けた放電電極をペルチェ素子により冷却することで放電電極の表面に結露水が生じる。次に、放電電極に負の高電圧を印加すると、結露水から負イオンを含む帯電微粒子水が生成される。また、放電電極に正の高電圧を印加すると、結露水から正イオンを含む帯電微粒子水が生成される。
【００３４】
送風ダクト１５の、帯電粒子発生装置１８の設置箇所の空気流通方向下流側には図５に示す絞り部１９が設けられる。絞り部１９は送風ダクト１５の、帯電粒子発生装置１８の設置箇所より流路の断面積が狭くなっている。
【００３５】
送風ダクト１５の、絞り部１９の空気流通方向下流側には図５に示す分岐部２０が設けられる。分岐部２０は分岐リブ２０ａを備える。分岐リブ２０ａは第１筐体１０の正面１０ｆを挟み互いに反対方向を向く２箇所の側面１０ｓ、すなわち図５における分岐部２０の左右の側面１０ｓに向けて送風ダクト１５の流路を分岐させる。
【００３６】
分岐部２０によって分岐された送風ダクト１５の空気流通方向下流端に２箇所の吹出口１４が設けられる。２箇所の吹出口１４は、図６に示すように第１筐体１０の正面１０ｆ（図６における下面）を挟み互いに反対方向を向く左右２箇所の側面１０ｓに各々設けられる。２箇所の吹出口１４には各々第１筐体１０に開口した、第１筐体１０の長手方向に沿って並ぶ複数の通気孔１４ａが配置される。
【００３７】
吹出口１４に隣接するその内側には第１ヒータープレート１２のホルダー２１が設けられる。ホルダー２１は第１筐体１０の長手方向に沿って見た断面形状が第１ヒータープレート１２側を開口した台形形状をなす。ホルダー２１は第１ヒータープレート１２を設けた第１筐体１０の正面１０ｆ（図６における下面）に対して傾斜をなす斜面部２１ａを備える。斜面部２１ａは２箇所の吹出口１４各々に対して設けられる。斜面部２１ａの箇所及び吹出口１４を通る空気は図６に白抜き矢印で描画した方向に流通する。
【００３８】
これにより、第１ヒータープレート１２及び第２ヒータープレート３２に挟持され加熱される直前直後の毛髪に冷風及びイオンを与えることができる。したがって、加熱された毛髪を急速に冷却することによりくせの改善率が向上するだけでなく、毛髪を挟持してスライドさせる際に摩擦により毛髪に帯電する静電気を毛髪がまとまっている間に効率的に除電することが可能となる。
【００３９】
図４に示すように、第１筐体１０の、送風ダクト１５よりヒンジ部２側の部分には主制御基板２２が設けられる。一方、第２筐体３０の、主制御基板２２と対向する部分には副制御基板２３が設けられる。
【００４０】
また、第１筐体１０及び第２筐体３０の、送風ダクト１５よりヒンジ部２側の部分にはロック機構４０が設けられる。ロック機構４０はスライド部材４１、フック部４２、受け部４３、及びヒンジ部凹部４４を備える。
【００４１】
スライド部材４１は、図５、図７及び図８に示すように送風ダクト１５に近接する第１筐体１０の長手方向略中央部からヒンジ部２の箇所にかけて延びている。スライド部材４１は、図５に示すように送風ダクト１５に近接する一端が第１筐体１０の幅方向中央部に位置し、長手方向略中央部が開閉ツマミ４の方向に湾曲して開閉ツマミ４と係合する。スライド部材４１は開閉ツマミ４のスライドに連動して第１筐体１０の長手方向（図５における上下方向）に沿って移動する。なお、図７及び図８ではスライド部材４１が２個の部材に分かれているように見えるが、実際には図５に示すように連続した単一の部材で構成される。
【００４２】
フック部４２はスライド部材４１の送風ダクト１５に近接する一端に設けられる。フック部４２は第１筐体１０の第２筐体３０と対向する面に配置され、その鉤状部分が第２筐体３０の方を向いて第１筐体１０から突出する。
【００４３】
受け部４３は第２筐体３０の第１筐体１０と対向する面に設けられる。受け部４３は第１筐体１０及び第２筐体３０を接近させ互いの間を閉鎖したときのフック部４２に対応する箇所に配置される。受け部４３はフック部４２の鉤状部分を受け入れ可能な形状、大きさをなす。
【００４４】
ヒンジ部凹部４４は受け部４３を設けた第２筐体３０のヒンジ部２に近接する箇所に設けられる。ヒンジ部凹部４４はスライド部材４１のヒンジ部２に近接する一端４１ａに対応する箇所に設けられる。ヒンジ部凹部４４はヒンジ部２を中心とする揺動とともにフック部４２を設けた第１筐体１０に対して相対的に回転変位する。ヒンジ部凹部４４はスライド部材４１のヒンジ部２側の一端４１ａを受け入れ可能な形状、大きさをなす。
【００４５】
このような構成のロック機構４０において、スライド部材４１は開閉ツマミ４のスライドに連動してフック部４２を受け部４３に対する係合位置（図８参照）と係合解除位置（図７参照）との間で移動させる。なお、スライド部材４１は、図８に示すように第１筐体１０及び第２筐体３０を接近させて互いの間が閉鎖された状態にあるときに、そのヒンジ部２側の一端４１ａがヒンジ部凹部４４に進入してフック部４２を受け部４３に対する係合位置に移動させる。
【００４６】
一方、第１筐体１０及び第２筐体３０を離隔させて互いの間が開放された状態にあるとき、ヒンジ部凹部４４は第２筐体３０とともにヒンジ部２の軸線周りに第１筐体１０に対して相対的に回転変位する。これにより、ヒンジ部２の軸線周りに関して、スライド部材４１のヒンジ部２側の一端４１ａの位置とヒンジ部凹部４４の位置とにずれが生じる。したがって、スライド部材４１は、図７に示すように第１筐体１０と第２筐体３０との間が開放状態にあるときに、そのヒンジ部２側の一端４１ａがヒンジ部凹部４４に進入することができずフック部４２を受け部４３に対する係合解除位置で維持する。
【００４７】
上記構成のヘアアイロン１において不図示の動作スイッチが操作されて加熱動作、送風動作が指示されると、送風ファン１６、帯電粒子発生装置１８、第１ヒータープレート１２及び第２ヒータープレート３２が駆動される。これにより、ヘアアイロン１は吸込口１３を介してヘアアイロン１の外部の空気を送風ダクト１５に吸い込む。空気に含まれる塵埃はフィルタ１３ｂにより捕集される。
【００４８】
送風ダクト１５を流通する空気には帯電粒子発生装置１８の放電電極１８ａで発生した帯電粒子である正イオン及び負イオンが放出される。その空気に含まれる正イオン及び負イオンは絞り部１９を通過するときに混合される。正イオン及び負イオンが混合された空気は分岐部２０においてその流通方向が２方向に分けられる。イオンを含む空気は吹出口１４からヘアアイロン１の外部に向かって送出される。
【００４９】
第１挟持部１１及び第２挟持部３１は第１筐体１０及び第２筐体３０の接近時に第１ヒータープレート１２及び第２ヒータープレート３２で毛髪を挟持して加熱することにより整髪を行う。このとき、吹出口１４からイオンを含む空気が送出されるので、毛髪にイオンを与えることができる。吹出口１４は第１筐体１０の第１挟持部１１を設けた正面１０ｆを挟み互いに反対方向を向く２箇所の側面１０ｓに設けられているので、吹出口１４に整髪剤が詰まったり、整髪中の毛髪自体が吹出口１４を塞いだりすることが抑制される。イオンによって毛髪に潤いを付与するとともに、第１ヒータープレート１２及び第２ヒータープレート３２の挟持により発生した毛髪の静電気が除電される。
【００５０】
続いて、毛髪に付加されたくせに対して、本実施形態のヘアアイロン１の使用による毛髪のくせの改善について、表１、表２、図９、図１０及び図１１を用いて説明する。図９は本実施形態のヘアアイロン１（実施例）と比較例のヘアアイロンとの性能の違いを検証するための試験方法の説明図である。表１及び図１０は本実施形態のヘアアイロン１（実施例）と比較例のヘアアイロンとの毛髪の伸び率（１４０℃）の違いを示す表及びグラフ、表２及び図１１は本実施形態のヘアアイロン１（実施例）と比較例のヘアアイロンとの毛髪の伸び率（２００℃）の違いを示す表及びグラフである。なお、図９には後述する帯電量の違いを検証する試験の際に用いる静電気測定器１０２を描画しているがここでは使用しない。
【００５１】
毛髪に付加されたくせの改善はヘアアイロン１の使用の前後における毛髪の伸び率の違いで検証した。試料として３人分の人毛黒髪（株式会社ビューラックス製ＢＳ−ＰＧＭ）を用い、各毛髪に対して１回の試験を行った。なお、１回の試験は、ヘアアイロン１による各毛髪に対する３回の整髪処理からなる。試験環境としては、温度２０℃、湿度２９％ＲＨであった。
【００５２】
試料Ｈは輪ゴム１０１（図９参照）で束ねた長さ５０ｃｍ、１５ｇの毛束を１％ドデシル硫酸ナトリウム水溶液内で１０回上下に揺動した後に１０分間浸漬している。その後、試料Ｈを水洗いしてタオルで水分を取り、さらにイオンなしの温風により乾燥している。続いて、試料Ｈをイオン交換水に１５分間浸漬してタオルで水分を取り、直径２６ｍｍの試験管に巻き付けて乾燥機で乾燥させることで試料Ｈにくせを付加している。
【００５３】
試験方法は、図９に示すように吊り下げた試料Ｈの上端をヘアアイロン１で挟み、下方向に５秒間で移動して整髪処理を行った後、試料Ｈの全長を測定した。上述のとおり、３人分の毛髪に対して各３回の整髪処理を行った。
【００５４】
試験は本実施形態のヘアアイロン１の送風ファン１６、帯電粒子発生装置１８、第１ヒータープレート１２及び第２ヒータープレート３２を駆動した状態で行った（実施例）。比較のための比較例１は送風ファン１６及び帯電粒子発生装置１８の駆動を停止し、第１ヒータープレート１２及び第２ヒータープレート３２を駆動した状態で行った。第１ヒータープレート１２及び第２ヒータープレート３２の温度条件としては１４０℃、２００℃の２通りの条件を選択した。
【００５５】
【表１】
2014133048.tif 000003
【００５６】
【表２】
2014133048.tif 000004
【００５７】
図１０及び図１１の縦軸は毛髪の平均伸び率（％）を示し、横軸は整髪の処理回数を示している。毛髪の伸び率（％）は、（整髪処理後の毛髪の伸び長ｃｍ／初期（整髪処理前）の毛髪の全長ｃｍ）×１００で表す。
【００５８】
１４０℃の試験結果、表１及び図１０によれば、送風ファン１６及び帯電粒子発生装置１８の駆動を停止した比較例１に対して、送風ファン１６及び帯電粒子発生装置１８を駆動させた実施例のほうが毛髪の伸び率が高くなっている。同様に、２００℃の試験結果、表２及び図１１によれば、比較例１に対して、実施例のほうが毛髪の伸び率が高くなっている。
【００５９】
上記試験結果によれば、実施例は比較例１と比較して毛髪のくせの改善率が高いことが分かる。したがって、送風ファン１６及び帯電粒子発生装置１８を駆動させて吹出口１４からイオンを含む空気を送出させることにより、毛髪に潤いを付与して効率の良い整髪を行うことができる。
【００６０】
続いて、本実施形態のヘアアイロン１の使用時の毛髪の帯電量について、表３、表４、図１２及び図１３を用いて説明する。表３及び図１２は本実施形態のヘアアイロン１（実施例）と比較例のヘアアイロンとの毛髪の帯電量（１４０℃）の違いを示す表及びグラフ、表４及び図１３は本実施形態のヘアアイロン１（実施例）と比較例のヘアアイロンとの毛髪の帯電量（２００℃）の違いを示す表及びグラフである。なお、試験方法の説明として図９を用いる。
【００６１】
試料として１０人分の人毛黒髪（株式会社ビューラックス製ＢＳ−ＰＧＭ）を用い、各毛髪に対して１回の試験を行った。なお、１回の試験は、ヘアアイロン１による各毛髪に対する３回の整髪処理からなる。試験環境としては、ヘアアイロン１の温度条件が１４０℃のときに温度２０℃、湿度３７％ＲＨであり、ヘアアイロン１の温度条件が２００℃のときに温度２５℃、湿度２１％ＲＨであった。
【００６２】
試料Ｈは輪ゴム１０１（図９参照）で束ねた長さ３０ｃｍ、１５ｇの毛束を１％ドデシル硫酸ナトリウム水溶液内で１０回上下に揺動した後に１０分間浸漬している。その後、試料Ｈを水洗いしてタオルで水分を取り、さらにイオンなしの温風により乾燥している。
【００６３】
試験方法は、図９に示すように吊り下げた試料Ｈの上端をヘアアイロン１で挟み、下方向に１０ｃｍ／ｓの速度で移動して整髪処理を行った。上述のとおり、１０人分の毛髪に対して各３回の整髪処理を行った。試料Ｈの帯電量は、静電気測定器１０２を用いて試料Ｈの輪ゴム１０１から下方に１５ｃｍの位置の帯電電位を２ｃｍ離れた位置から測定した。また、静電気測定器１０２を用いてヘアアイロン１の帯電電位を２ｃｍ離れた位置から測定した。そして、試料Ｈとヘアアイロン１との帯電電位差を算出した。
【００６４】
試験は本実施形態のヘアアイロン１の送風ファン１６、帯電粒子発生装置１８、第１ヒータープレート１２及び第２ヒータープレート３２を駆動した状態で行った（実施例）。比較のための比較例２は帯電粒子発生装置１８の駆動を停止し、送風ファン１６、第１ヒータープレート１２及び第２ヒータープレート３２を駆動した状態で行った。比較例３は送風ファン１６及び帯電粒子発生装置１８の駆動を停止し、第１ヒータープレート１２及び第２ヒータープレート３２を駆動した状態で行った。第１ヒータープレート１２及び第２ヒータープレート３２の温度条件としては１４０℃、２００℃の２通りの条件を選択した。
【００６５】
【表３】
2014133048.tif 000005
【００６６】
【表４】
2014133048.tif 000006
【００６７】
図１２及び図１３の縦軸は試料Ｈとヘアアイロン１との帯電電位差（ｋＶ）を示し、横軸は各試験条件を示している。
【００６８】
１４０℃の試験結果、表３及び図１２によれば、帯電粒子発生装置１８の駆動を停止した比較例２、送風ファン１６及び帯電粒子発生装置１８の駆動を停止した比較例３に対して、送風ファン１６及び帯電粒子発生装置１８を駆動させた実施例のほうが帯電電位差が低くなっている。同様に、２００℃の試験結果、表４及び図１３によれば、比較例２、比較例３に対して、実施例のほうが帯電電位差が低くなっている。
【００６９】
上記試験結果によれば、実施例は比較例２及び比較例３と比較して除電作用が高いことが分かる。したがって、送風ファン１６及び帯電粒子発生装置１８を駆動させて吹出口１４からイオンを含む空気を送出させることにより、毛髪の静電気を除電して効率の良い整髪を行うことができる。
【００７０】
上記のように、ヘアアイロン１は、一方が他方に対して接近、離隔するよう互いに揺動可能な第１筐体１０及び第２筐体３０と、第１筐体１０及び第２筐体３０の接近時に毛髪を挟持して加熱する対をなす第１挟持部１１及び第２挟持部３１と、第１筐体１０に設けた空気の吸込口１３及び吹出口１４と、吸込口１３と吹出口１４とを連通させる送風ダクト１５と、送風ダクト１５に気流を流通させる送風ファン１６と、送風ダクト１５を流通する気流に帯電粒子を放出する帯電粒子発生装置１８と、を備える。そして、吹出口１４を、第１筐体１０の第１挟持部１１を設けた一面を正面１０ｆとする側面１０ｓに設けている。これにより、第１筐体１０の第１挟持部１１を設けた正面１０ｆに対する側面１０ｓから側方に向かって空気イオンの帯電粒子を含む空気が吹き出される。したがって、吹出口１４に整髪剤が詰まったり、整髪中の毛髪自体が吹出口１４を塞いだりすることを抑制することができる。その結果、効率の良い整髪を実行することが可能である。
【００７１】
また、ヘアアイロン１は、吹出口１４を第１筐体１０の第１挟持部１１を設けた正面１０ｆを挟み互いに反対方向を向く２箇所の側面１０ｓに設け、送風ダクト１５は吹出口１４に隣接する箇所に、第１挟持部１１を設けた前記正面１０ｆに向けて吹出口１４が空気を吹き出すこととなる前記正面１０ｆに対して傾斜をなす斜面部２１ａを備える。これにより、帯電粒子を含む空気を第１挟持部１１及び第２挟持部３１で挟持され整髪が行われる直前直後の毛髪に向かって吹出口１４から吹き出すことができる。したがって、帯電粒子を効果的に毛髪に当てることが可能である。
【００７２】
また、ヘアアイロン１は、帯電粒子発生装置１８が正負各々に帯電した空気イオンの帯電粒子を放出し、送風ダクト１５が帯電粒子発生装置１８の設置箇所の空気流通方向下流側にその設置箇所より流路の断面積が狭い絞り部１９と、第１筐体１０の２箇所の側面１０ｓに設けた吹出口１４各々に向けて流路が分岐する分岐部２０とを備える。これにより、送風ダクト１５に放出された正負各々に帯電した空気イオンの帯電粒子が絞り部１９で混合される。そして、均一に混合された正負各々に帯電した空気イオンの帯電粒子が２箇所の吹出口１４それぞれから吹き出される。したがって、第１挟持部１１及び第２挟持部３１に挟持され整髪が行われる直前直後の毛髪に正負各々に帯電した帯電粒子を当てることができる。その結果、効率の良い整髪を実行することが可能である。
【００７３】
また、ヘアアイロン１は、送風ファン１５が流通させる気流を、第１筐体１０の２箇所の側面１０ｓの中間ＣＬ１に関して前記２箇所の側面１０ｓ各々に向かって対称になるよう整流する整流リブ１７を備える。例えば、送風ファン１６がシロッコファンであって羽根車の回転軸線が第１筐体１０の正面１０ｆと交差するように送風ファン１６を設けたとき、送風ファン１６の排気口１６ｂは第１筺体１０の幅方向中心（図５のＣＬ１）に対して偏倚することがある。しかしながら、この構成によれば、第１筐体１０の２箇所の側面１０ｓに対して均等に空気を流通させることができる。したがって、２箇所の側面１０ｓに設けた吹出口１４各々から等量の空気を送出することが可能である。さらに、整流リブ１７の下流に配置した帯電粒子発生装置１８に関して、一対の放電電極１８ａに対して均等に空気を流通させることができる。したがって、一対の放電電極１８ａ各々から等量のイオンを放出することが可能である。
【００７４】
また、送風ファン１６はその回転軸線が第１挟持部１１を設けた前記正面１０ｆと交差する方向に延びている。これにより、送風ファン１６の回転に起因する振動が第１挟持部１１を設けた前記正面１０ｆ、すなわち第１挟持部１１及び第２挟持部３１による毛髪の挟持面と平行をなす方向に生じる。したがって、送風ファン１６を設けた第１筐体１０の第１挟持部１１が毛髪のくせを伸ばして毛髪を真っ直ぐにする方向に往復変位を繰り返す。さらに、第１ヒータープレート１２から毛髪への熱伝導を促進することも可能となる。また、予め毛髪に付着させた整髪剤の浸透を促進させるなど、効率の良い整髪を実行することが可能である。
【００７５】
さらに、ヘアアイロン１は、第１筐体１０及び第２筐体３０を揺動可能に連結するヒンジ部２と、第１筐体１０に設けたフック部４２と、第２筐体３０に設けた受け部４３と、受け部４３を設けた第２筐体３０のヒンジ部２に近接する箇所に設けたヒンジ部２を中心とする揺動とともにフック部４２を設けた第１筐体１０に対して相対的に回転変位するヒンジ部凹部４４と、フック部４２を受け部４３に対する係合位置と係合解除位置との間で移動させるとともに、第１筐体１０及び第２筐体３０を接近させ互いの間を閉鎖したときにその一端４１ａがヒンジ部凹部４４に進入してフック部４２を受け部４３に対する係合位置に移動させ、第１筐体１０及び第２筐体３０を離隔させ互いの間を開放したときにその一端４１ａがヒンジ部凹部４４に進入することができずフック部４２を受け部４３に対する係合解除位置で維持するスライド部材４１と、を備える。これにより、第１筐体１０と第２筐体３０との間がフック部４２とヒンジ部凹部４４との２箇所において閉鎖状態でロックされる。そして、第１筐体１０と第２筐体３０との間が閉鎖状態にあるときのみフック部４２が係合位置に移動するので、フック部４２と受け部４３とが確実に係合して双方に位置ずれが生じない。したがって、第１筐体１０と第２筐体３０との間が開放状態にあるときにフック部４２を意図せず係合位置へスライドさせることがないため、フック部４２が受け部４３やその他第２筺体３０側の凸部等の意図しない箇所に接触して破損することを抑制することができる。
【００７６】
そして、本発明の上記実施形態の構成によれば、効率良く整髪を行うことが可能なヘアアイロン１を提供することができる。
【００７７】
以上、本発明の実施形態につき説明したが、本発明の範囲はこれに限定されるものではなく、発明の主旨を逸脱しない範囲で種々の変更を加えて実施することができる。
【産業上の利用可能性】
【００７８】
本発明はヘアアイロンにおいて利用可能である。
【符号の説明】
【００７９】
１    ヘアアイロン
２    ヒンジ部
３    把持部
４    開閉ツマミ
１０    第１筐体
１０ｆ    正面
１０ｓ    側面
１１    第１挟持部
１２    第１ヒータープレート
１３    吸込口
１４    吹出口
１５    送風ダクト
１６    送風ファン
１７    整流リブ（整流部）
１８    帯電粒子発生装置
１９    絞り部
２０    分岐部
２１    ホルダー
２１ａ    斜面ｅ部
３０    第２筐体
３１    第２挟持部
３２    第２ヒータープレート
４０    ロック機構
４１    スライド部材
４２    フック部
４３    受け部
４４    ヒンジ部凹部
【図１】
2014133048.tif 000007
【図２】
2014133048.tif 000008
【図３】
2014133048.tif 000009
【図４】
2014133048.tif 000010
【図５】
2014133048.tif 000011
【図６】
2014133048.tif 000012
【図７】
2014133048.tif 000013
【図８】
2014133048.tif 000014
【図９】
2014133048.tif 000015
【図１０】
2014133048.tif 000016
【図１１】
2014133048.tif 000017
【図１２】
2014133048.tif 000018
【図１３】
2014133048.tif 000019